(57)【要約】【課題】生体情報監視装置において、個々の患者の監視に関する設定を変更する場合に、監視の精度を確保すること。【解決手段】生体情報監視装置は、生体情報データの表示領域を分割した複数の表示区域を有する基本画面において、個々の表示区域内に個々の患者の生体情報データを表示する表示手段と、ユーザ操作を受け付ける操作手段と、個々の患者の監視に関する設定を管理するとともに、前記設定を変更させる設定変更処理を、前記操作手段により受け付けられたユーザ操作に従って実行する制御手段と、を有し、前記複数の表示区域のいずれかに対応付けられた一患者についての設定変更処理を起動させてから完結させるまでの一連のユーザ操作に必要な操作手段はいずれも、前記基本画面において、前記一患者に対応する表示区域内に配置される。【選択図】図３
2014176498.tif 000002
【特許請求の範囲】
【請求項１】
生体情報データの表示領域を分割した複数の表示区域を有する基本画面において、個々の表示区域内に個々の患者の生体情報データを表示する表示手段と、
ユーザ操作を受け付ける操作手段と、
個々の患者の監視に関する設定を管理するとともに、前記設定を変更させる設定変更処理を、前記操作手段により受け付けられたユーザ操作に従って実行する制御手段と、
を有し、
前記複数の表示区域のいずれかに対応付けられた一患者についての設定変更処理を起動させてから完結させるまでの一連のユーザ操作に必要な操作手段はいずれも、前記基本画面において、前記一患者に対応する表示区域内に配置される、
生体情報監視装置。
【請求項２】
前記一連のユーザ操作に必要な操作手段は、前記設定の変更内容を複数の候補の中からユーザに選択させるための選択メニューと、前記選択メニューを表示させるための選択メニュー起動ボタンと、を含む、
請求項１記載の生体情報監視装置。
【請求項３】
前記操作手段は、前記選択メニューにおいて選択された変更内容を実行してよいかどうかをユーザに確認させるための設定変更確認ボタンをさらに含む、
請求項２記載の生体情報監視装置。
【請求項４】
前記一患者に対応する表示区域は、前記一患者の生体情報データの波形を表示する波形表示部と、前記一患者の生体情報データの計測値を表示する計測値表示部と、を含み、
前記選択メニューは、前記波形表示部内に配置される、
請求項２記載の生体情報監視装置。
【請求項５】
前記選択メニューは、半透明である、
請求項４記載の生体情報監視装置。
【請求項６】
前記設定変更確認ボタンは、前記波形表示部内に配置される、
請求項３記載の生体情報監視装置。
【請求項７】
前記設定変更確認ボタンは、半透明である、
請求項６記載の生体情報監視装置。
【請求項８】
前記一患者に対応する表示区域は、前記一患者に関する患者情報を表示する患者情報表示部をさらに含み、
前記選択メニュー起動ボタンは、前記患者情報表示部内に配置される、
請求項２記載の生体情報監視装置。
【請求項９】
前記選択メニュー起動ボタンは、透明である、
請求項８記載の生体情報監視装置。
【請求項１０】
前記選択メニューにおいて候補として示される変更内容は、前記一患者の監視の一時停止または終了を少なくとも含む、
請求項２記載の生体情報監視装置。
【発明の詳細な説明】
【技術分野】
【０００１】
本発明は、生体情報監視装置に関する。
【背景技術】
【０００２】
従来、複数の患者の状態を監視する生体情報監視装置として、医療機関においてナースステーションに設置されるセントラルモニタが知られている。セントラルモニタは、集中治療室や病室などに居る各患者のベッドサイドに設置されたベッドサイドモニタから各患者の生体情報（例えば、心電図、血圧、動脈血酸素飽和度など）を受信してそれを画面に表示する（例えば、特許文献１参照）。
【０００３】
セントラルモニタは、各ベッドサイドモニタ及び患者が携帯する携帯型テレメータ装置等から受信した生体情報を同時に基本画面として１画面で表示する。このセントラルモニタにおける基本画面の表示モードは、同時に表示する患者の人数に応じて変更できる。
【０００４】
図１Ａに示すように従来のセントラルモニタ１の基本画面は、表示画面２に、複数の患者を、患者の氏名等と、患者に対応する生体情報データ３とを患者毎に対応する患者情報ブロックとして、表示区域４ａ〜４ｆで並べて表示している。これにより、ナースステーションに配置されたセントラルモニタ１を介して、医療スタッフは、ナースステーションから離れた病床、集中治療室等の場所に居る複数患者の容態を同時にモニタリングできる。
【先行技術文献】
【特許文献】
【０００５】
【特許文献１】特開２００５−１２４９０３号公報
【発明の概要】
【発明が解決しようとする課題】
【０００６】
ところで、セントラルモニタでは、個々の患者の監視に関する設定を変更させる設定変更は一般に、変更対象の一患者の表示区域をタッチした後に表示される個人画面をタッチすることで行われる。例えば、セントラルモニタ１の表示区域４ａをタッチすると、表示画面２の下側の領域にユーザ操作を受け付ける各種のボタンなどが表示された個人画面４ｇが表示される。従来のセントラルモニタでは、図１Ｂに示すように、表示画面２の下側の領域を空けるために表示区域４ａ〜４ｆの表示サイズを縮小して基本画面をせり上げ、その空いた領域（表示画面２の下側の領域）に個人画面４ｇを表示する。あるいは、図１Ｃに示すように、表示区域４ａ〜４ｆの表示サイズを縮小せずに、表示画面２の下側の領域に位置する基本画面に重ねて個人画面４ｇを表示する。この個人画面４ｇに表示される各ボタンをタッチすることで各種の設定変更を行うことができる。
【０００７】
ところが、図１Ｂに示すような個人画面表示方法では、各表示区域４ａ〜４ｆの表示サイズが縮小するため、例えば表示区域４ａおよび４ｅに表示される生体情報データの波形数が３つから２つに減少するなど、変更対象の一患者だけでなく別の患者についても、表示可能なデータ量が減少する。また、図１Ｃに示すような個人画面表示方法では、基本画面に重ねて個人画面４ｇを表示することで、元々表示されていた表示区域４ｃおよび４ｆが全部覆い隠されるとともに表示区域４ｂおよび４ｅも部分的に覆い隠されることになるため、覆い隠された部分の生体情報データが全く視認できなくなる。つまり、従来のセントラルモニタで設定変更操作を行うと、表示画面２に表示される情報量が減少するため、一時的に監視の精度が低下してしまう虞があった。よって、個々の患者の監視に関する設定を変更する場合に、監視の精度を確保することができるセントラルモニタが求められている。
【０００８】
本発明はかかる点に鑑みてなされたものであり、個々の患者の監視に関する設定を変更する場合に、監視の精度を確保することができる生体情報監視装置を提供することを目的とする。
【課題を解決するための手段】
【０００９】
本発明の生体情報監視装置は、生体情報データの表示領域を分割した複数の表示区域を有する基本画面において、個々の表示区域内に個々の患者の生体情報データを表示する表示手段と、ユーザ操作を受け付ける操作手段と、個々の患者の監視に関する設定を管理するとともに、前記設定を変更させる設定変更処理を、前記操作手段により受け付けられたユーザ操作に従って実行する制御手段と、を有し、前記複数の表示区域のいずれかに対応付けられた一患者についての設定変更処理を起動させてから完結させるまでの一連のユーザ操作に必要な操作手段はいずれも、前記基本画面において、前記一患者に対応する表示区域内に配置される、構成を採る。
【発明の効果】
【００１０】
本発明によれば、ユーザにとっての利便性を向上させることができる。
【図面の簡単な説明】
【００１１】
【図１Ａ】従来のセントラルモニタの基本画面の一例を説明するための図
【図１Ｂ】従来のセントラルモニタの個人画面の第１の例を説明するための図
【図１Ｃ】従来のセントラルモニタの個人画面の第２の例を説明するための図
【図２】本発明の一実施の形態に係るセントラルモニタを説明するための図
【図３】本発明の一実施の形態に係るセントラルモニタの構成を示すブロック図
【図４】本発明の一実施の形態に係るショートカットメニュー起動ボタンを説明するための図
【図５】本発明の一実施の形態に係るショートカットメニューを説明するための図
【図６】本発明の一実施の形態に係る設定変更確認ボタンを説明するための図
【図７】本発明の一実施の形態に係る監視の一時停止区域を説明するための図
【図８】実施の形態に係る個人画面起動ボタンを説明するための図
【図９】実施の形態に係る個人画面を説明するための図
【図１０】実施の形態に係る個人メニュー画面を説明するための図
【図１１】実施の形態に係る個人画面経由の設定変更確認ボタンを説明するための図
【発明を実施するための形態】
【００１２】
以下、本発明の実施の形態について、図面を用いて詳細に説明する。
【００１３】
図２は、本発明の一実施の形態に係る生体情報監視装置としてのセントラルモニタ１００を示す図である。
【００１４】
図２のセントラルモニタ１００には、患者についての生体情報データを計測するベッドサイドモニタまたは医用テレメータ等の生体情報収集装置が通信ネットワークを介して接続されている。セントラルモニタ１００は、患者から離れた場所（例えばナースステーションなど）に置いて使用され、生体情報収集装置とともに生体情報監視システムを構成する。
【００１５】
この生体情報監視システムにおける生体情報収集装置としてのベッドサイドモニタは、病室、手術室、集中治療室、または患者搬送時などの様々な場面において、患者の近傍に置いて使用される。また、生体情報収集装置としての医用テレメータは、自力で病棟などを移動できる比較的症状の軽い患者に対して用いられる。言い換えると、医用テレメータを用いて生体情報データが計測される患者は、ベッドサイドモニタを用いて生体情報データが計測される患者よりも症状の軽い患者である。
【００１６】
ベッドサイドモニタで収集される患者の生体情報データは、例えば、心電図データ、呼吸データ、観血血圧データ、体温データ、酸素飽和度（ＳｐＯ２）データ、または非観血血圧データ等である。医用テレメータで収集される患者の生体情報データは、例えば、心電図データ、呼吸データ、またはＳｐＯ２データ等である。ベッドサイドモニタまたは医用テレメータ等で収集される患者の生体情報データは、セントラルモニタ１００に送信される。
【００１７】
これにより、セントラルモニタ１００は、ベッドサイドモニタで収集される生体情報データ（心電図データ、呼吸データ、観血血圧データ、体温データ、ＳｐＯ２データ、非観血血圧データ等）、または医用テレメータで収集される生体情報データ（心電図データ、呼吸データ、ＳｐＯ２データ）を取得する。
【００１８】
セントラルモニタ１００が患者毎の生体情報データを表示することで、ユーザ（医療スタッフ）は複数の患者の生体情報データを監視することができる。
【００１９】
図２に示すセントラルモニタ１００の表示画面について説明する。セントラルモニタ１００の表示画面には、表示区域２２０ａ〜２２０ｈが、予め指定されている基本画面２１０の表示モード（図２では、８床４波形表示モード）に従って配置される。表示区域２２０ａ〜２２０ｈは、基本画面２１０の表示領域を分割して並べて配置され、それぞれの表示区域２２０ａ〜２２０ｈに患者毎の患者情報および生体情報データを表示する。表示区域２２０ａ〜２２０ｈのそれぞれには、計測値表示部、波形表示部および患者情報表示部が含まれる。ここでは、患者「佐藤浩太」の表示区域２２０ｂについて説明する。
【００２０】
計測値表示部２２１ｂには、「佐藤浩太」の生体情報データ（具体的には、心拍数（ＨＲ）データ、ＳｐＯ２データおよび非観血血圧（ＮＩＢＰ）データ）が計測値の形式で表示される。また、波形表示部２２２ｂには、「佐藤浩太」の生体情報データ（具体的には、心電図データ、ＳｐＯ２データおよび呼吸データ）が波形の形式で表示される。なお、計測値表示部２２１ｂおよび波形表示部２２２ｂに表示される生体情報データは上記のものに限られず、例えば観血血圧（ＢＰ）データ、呼気・吸気中の炭酸ガス濃度（ＣＯ２）データ、麻酔ガス濃度（Ａｇｅｎｔ）データ、または酸素濃度（Ｏ２）データなどであってもよい。
【００２１】
また、患者情報表示部２２３ｂには、「佐藤浩太」の患者情報（具体的には、氏名、性別、年齢区分など）が表示される。なお、患者情報表示部２２３ｂに表示される個人情報は上記のものに限られない。
【００２２】
続いて本発明の一実施の形態に係るセントラルモニタ１００の構成を図３に示す。セントラルモニタ１００は、本発明の表示手段を構成する表示部２００と、受信部３００と、本発明の制御手段を構成する制御部４００と、情報入力部５００と、記憶部６００と、音声出力部７００と、を有する。
【００２３】
受信部３００は、例えばテレメータ受信機等で構成され、生体情報データを無線送信し得る外部機器（例えば、ベッドサイドモニタ、医用テレメータ等）との無線通信を可能にするアンテナおよび無線信号処理回路を有する。
【００２４】
受信部３００は、ベッドサイドモニタまたは医用テレメータから送信された患者の生体情報データを、無線通信チャネルを介して受信する。受信部３００に受信された生体情報データは、制御部４００に供給される。これにより、セントラルモニタ１００は、ベッドサイドモニタまたは医用テレメータから各患者の生体情報データをリアルタイムに取得することができる。
【００２５】
なお、セントラルモニタ１００は、ＬＡＮケーブルなどの接続手段を用いて、双方向に通信可能な通信ネットワークを介して、ベッドサイドモニタと接続してもよい。例えば、セントラルモニタ１００のネットワーク用コネクタ（例えば、ＬＡＮ接続コネクタなど）に、ベッドサイドモニタに接続されたＬＡＮケーブルを接続して、ベッドサイドモニタから生体情報データを取得するとともに、セントラルモニタ１００からの各種データを送信できるようにしてもよい。なお、コネクタは、ＬＡＮ接続コネクタに限定されず、シリアルコネクタ、ＵＳＢコネクタまたは各種外部機器専用の接続コネクタなどであればよい。
【００２６】
情報入力部５００は、ユーザが患者情報を手入力するためのキーボードやマウスなど、または磁気カードに記録された患者情報を読み取るカードリーダなどである。情報入力部５００は、生体情報データの対象患者の患者情報の入力を受け付けて、制御部４００に供給する。なお、各患者の患者情報には、主に患者の識別番号、氏名、性別および年齢区分（新生児・乳児・幼児・小児・成人）を示すデータが含まれ、その他にも病室、フロアや病棟などの名称または番号を示すデータが含まれる。さらに、無線通信チャネルの番号、または患者を担当する医師および看護師の氏名を示すデータを補足的に含むこともできる。
【００２７】
また、情報入力部５００は、セントラルモニタ１００の各種設定を変更する際に用いることもできる。
【００２８】
制御部４００は、例えば演算処理装置（ＣＰＵ：Central Processing Unit）を有し、記憶部６００に記憶されたプログラムを実行することで、セントラルモニタ１００内の各部における動作を制御する。このプログラムには、後述する設定変更処理動作を実行するためのプログラムが含まれる。
【００２９】
制御部４００は、受信部３００から順次供給される各患者の生体情報データを、患者の患者情報に対応させてリアルタイムで表示部２００に表示させるための制御を行う。
【００３０】
例えば、制御部４００は、複数の患者の生体情報データが、予め指定されている基本画面２１０の表示モード（図２では、８床４波形表示モード）に従って表示されるように、画像データを生成する。また、制御部４００は、複数の患者の生体情報データを画面全域に表示する基本画面２１０の他に、特定の患者の生体情報データを画面右側の領域に表示する個人画面の画像データを生成する。生成された画像データは表示部２００に供給される。
【００３１】
なお、制御部４００は、画像処理によって複数の画面レイヤを形成して、レイヤ毎に画面の画像データを生成する。したがって、画像処理の結果として得られる画像データは、レイヤ構造を有する。これにより、例えば、基本画面２１０を表示させると同時に、基本画面２１０の前面側に、各種操作画面をポップアップ表示することができる。
【００３２】
また、制御部４００は、受信部３００から順次供給される各患者の生体情報データを、患者情報に対応付けて記憶部６００に格納して、生体情報データを管理する。また、通信ネットワークを介して電子カルテシステムなどのデータ処理システムに生体情報データまたは患者情報を送信する。
【００３３】
また、制御部４００は、ベッドサイドモニタから、患者の容態に異常が生じていないかの判定結果を、通信ネットワークを介して受信できる。患者の容態に異常が生じている場合には、制御部４００は、異常発生をユーザに通知するための画面を表示部２００に表示させたり、異常発生をユーザに通知するためのアラーム音を音声出力部７００から出力させたりする。また、制御部４００は、医用テレメータから各患者の生体情報データを取得した場合、それらの生体情報データに対して、例えば閾値判定や不整脈検出などを行うことにより、患者の容態に異常が生じていないかを判定してもよい。
【００３４】
表示部２００は、例えばタッチパネル式の液晶表示装置であり、表示機能と入力機能とを有している。表示部２００は、制御部４００から順次供給される画像データに基づいて、例えば表示部２００に基本画面２１０を表示する。なお、表示部２００は制御部４００から供給される画像データに基づいて、個人画面を表示することもできる。
【００３５】
また、表示部２００には、ユーザ操作（具体的には、タッチ操作）を受け付けると、その操作内容を示す操作信号を生成して、その操作信号を制御部４００に伝送する。ユーザは、後述する操作手段をタッチ操作することで、セントラルモニタ１００の監視に関する設定を変更することができる。なお、表示部２００から患者情報を入力することなどもできる。
【００３６】
記憶部６００は、例えば、半導体メモリ装置またはハードディスクなどの記憶装置であり、制御部４００により実行されるプログラムや制御部４００から供給された各種データを記憶する。
【００３７】
音声出力部７００は、スピーカであり、アラーム音などの出力を行う。
【００３８】
なお、本実施の形態のセントラルモニタ１００は、表示部２００と、受信部３００と、制御部４００と、情報入力部５００と、記憶部６００と、音声出力部７００と、の構成を全て１つの筐体に収容した一体型構成を採用しているが、これらの各構成を別々の筐体に収容し、接続手段を介して接続した独立型構成を採用してもよい。
【００３９】
次に、本実施の形態のセントラルモニタ１００の監視に関する設定を変更させるための設定変更処理動作について説明する。
【００４０】
ここでは、表示部２００は、制御部４００の画像処理により生成される画像データに基づいて、複数の患者の患者情報および生体情報データをリアルタイムで表示する。具体的には、図４に示すように、基本画面２１０に表示区域２２０ａ〜２２０ｈが配置される。なお、本実施の形態では、表示区域に対応付けられた一患者についての設定変更処理の例として、「佐藤浩太」の監視に関する設定を変更する処理について説明する。また、ここでは、設定変更処理が、監視の中断（言い換えれば、監視の一時停止）である場合を例にとって説明する。
【００４１】
まず、ユーザは設定変更処理を起動させるためのユーザ操作（本実施の形態では、タッチ操作とする）を操作手段に対して行う。本実施の形態では、この操作手段は、図４に示すように、患者情報表示部２２３ｂ内に配置された選択メニュー起動ボタンとしてのショートカットメニュー起動ボタン２２３ｂ’である。
【００４２】
ユーザはショートカットメニュー起動ボタン２２３ｂ’をタッチ操作して、設定変更処理を起動させる。ショートカットメニュー起動ボタン２２３ｂ’が患者情報表示部２２３ｂ内に配置されることで、ユーザは患者情報を確認しながら操作を行うことができるので、基本画面２１０に表示される患者数が多くても、設定変更対象の患者を間違えることを確実に防止できる。
【００４３】
なお、ショートカットメニュー起動ボタン２２３ｂ’は透明である。ここで、「ショートカットメニュー起動ボタン２２３ｂ’は透明」とは、ショートカットメニュー起動ボタン２２３ｂ’の配置位置と患者情報表示部２２３ｂの患者情報の表示位置とが重なった場合でも患者情報が隠れることなく完全に視認できる状態であり、ショートカットメニュー起動ボタン２２３ｂ’自体は目に見えない状態であることを意味する。ショートカットメニュー起動ボタン２２３ｂ’は目に見えないが、ショートカットメニュー起動ボタン２２３ｂ’を患者情報表示部２２３ｂの領域全体にわたって配置させたことで、患者情報表示部２２３ｂの領域全体がショートカットメニュー起動ボタン２２３ｂ’になっているため、ユーザはそのボタン自体を視認できなくてもその位置を確実に認識することができる。また、ショートカットメニュー起動ボタン２２３ｂ’が不透明である場合は、ショートカットメニュー起動ボタン２２３ｂ’が患者情報表示部２２３ｂの領域全体にわたって配置された場合であっても、部分的に配置された場合であっても、患者情報表示部２２３ｂ内に表示可能な情報量が減少してしまうが、本実施の形態ではショートカットメニュー起動ボタン２２３ｂ’が透明であるため、患者情報の表示可能量を減少させずにすむ。ショートカットメニュー起動ボタン２２３ｂ’が患者情報と重ならないように配置される場合は、ショートカットメニュー起動ボタン２２３ｂ’は不透明であってもよい。
【００４４】
設定変更処理を起動すると、図５に示すように、設定の変更内容を複数の候補の中からユーザに選択させるための選択メニューとしてのショートカットメニュー２３０が、表示区域２２０ｂ内に配置されて表示される。本実施の形態では、ショートカットメニュー２３０は波形表示部２２２ｂ内に配置されるため、ユーザが見ることが比較的多い計測値表示部２２１ｂの視認性に、ショートカットメニュー２３０の表示が全く影響を与えない。また、ショートカットメニュー２３０は半透明である。これにより、波形表示部２２２ｂ内の波形の視認性低下を最小限に抑制できる。なお、ショートカットメニュー２３０が波形表示部２２２ｂ内の余白部分に配置される場合には、ショートカットメニュー２３０を半透明にしなくても波形の視認性低下を防止できる。
【００４５】
ショートカットメニュー２３０には、ユーザに変更内容を選択させるためのボタン（変更内容選択ボタン）が含まれる。本実施の形態では、変更内容選択ボタンとして、監視の開始を選択させるための入床ボタン２３１、監視の一時停止を選択させるための中断ボタン２３２、監視の終了を選択させるための退床ボタン２３３、および監視対象の生体情報データの閾値設定を選択させるためのアラーム設定ボタン２３４などが含まれる。なお、ショートカットメニュー２３０に含まれるボタンの種類（つまり個数）などは上記の場合に限られず、ユーザ操作により適宜変更できる。ただし実際には、表示区域２２０ｂあるいは波形表示部２２２ｂの広さとの関係で、配置可能な変更内容選択ボタンの個数には上限がある。よって、ショートカットメニュー２３０には、比較的詳細な設定作業を伴わない中断（監視の一時停止）や退床（監視の終了）のための中断ボタン２３２や退床ボタン２３３を少なくとも含めるようにすればよい。
【００４６】
なお、中断または退床のためのユーザ操作は、ある患者に対して監視をしなくなる場合に行われる。この場合、その患者に対応付けられた表示区域２２０ｂに表示される情報量が減少しても問題ないため、変更内容が中断および退床の少なくとも一方に限られる場合には、ショートカットメニュー２３０は波形表示部２２２ｂだけでなく計測値表示部２２１ｂに表示されてもよいし、不透明であってもよい。
【００４７】
ユーザが中断ボタン２３２をタッチ操作すると、図６に示すように、監視の一時停止を実行してよいかどうかをユーザに確認させるための設定変更確認ボタン２４０が、ショートカットメニュー２３０と同様に波形表示部２２２ｂ内に配置される。また、設定変更確認ボタン２４０はショートカットメニュー２３０と同様に半透明である。この設定変更確認ボタン２４０は、変更内容を実行させるための実行ボタン２４１と、変更内容の実行をキャンセルさせるためのキャンセルボタン２４２とを含む。
【００４８】
なお、中断または退床のためのユーザ操作は、ある患者に対して監視をしなくなる場合に行われる。この場合、その患者に対応付けられた表示区域２２０ｂに表示される情報量が減少しても問題ないため、中断または退床のための設定変更確認ボタン２４０は波形表示部２２２ｂだけでなく計測値表示部２２１ｂに表示されてもよいし、設定変更確認ボタン２４０は不透明であってもよい。
【００４９】
ユーザが実行ボタン２４１をタッチ操作すると、監視の中断が実行され、設定変更処理が完結する。その結果、図７に示すように、表示区域２２０ｂ内には波形や計測値が表示されなくなる（中断区域２５０）。中断区域２５０には、患者の氏名とモニタ中断中の経過時間とが表示されるとともに、監視の再開を示す再開ボタン２５１が表示される。モニタ中断中に再開ボタン２５１がタッチ操作された場合、監視が再開されることとなる。なお、中断区域２５０の表示態様はこれに限らず、患者の氏名とモニタ中断中の時間とが共に表示されなくてもよいし、どちらか一方のみが表示されてもよい。
【００５０】
以上説明したように、本実施の形態では、一患者（「佐藤浩太」）についての設定変更処理を起動させてから完結させるまでの一連のユーザ操作に必要な操作手段（ショートカットメニュー起動ボタン２２３ｂ’、ショートカットメニュー２３０および設定変更確認ボタン２４０）はいずれも、基本画面２１０において、「佐藤浩太」に対応する表示区域２２０ｂ内に配置される。これにより、「佐藤浩太」の監視に関する設定を変更する際に、「佐藤浩太」のための個人画面を表示区域２２０ｂ外に表示させることなく、「佐藤浩太」のための設定変更を実行させることができる。
【００５１】
ここで、セントラルモニタ１００では、監視に関する設定を変更する場合、従来と同様、個人画面を経由して設定変更操作を行うこともできる。個人画面を経由して監視の中断を行う場合、まず計測値表示部２２１ｂ内に配置された個人画面起動ボタン２２１ｂ’（図８）をタッチ操作する（第１ステップ）、そうすると、表示区域２２０ａ〜２２０ｈの幅（高さ方向のサイズ）が縮小されて表示画面の左半分に寄せ集められ、表示画面の右半分が空けられ、これと同時に、個人画面２６０が基本画面２１０の右側に表示される（図９）。このような表示態様は、横長の表示画面の場合に有効である。
【００５２】
次いで、ユーザは個人画面２６０内のメニューボタン２６１をタッチ操作して（第２ステップ）、図１０に示す個人メニュー画面２７０を個人画面２６０上に重ねて表示させる。次いで、ユーザは個人メニュー画面２７０内の中断ボタン２７１をタッチ操作し（第３ステップ）、さらにその後に表示される設定変更確認ボタン２８０内の実行ボタン２８１（図１１）をタッチ操作して（第４ステップ）、設定変更処理を完結する。
【００５３】
このように、個人画面２６０を表示画面の右半分に表示した場合、表示区域２２０ａ〜２２０ｈ内に表示される生体情報データの波形数や計測値数は減少するが、図１Ｃに示すような、表示画面の下側の領域を覆い隠してしまう個人画面４ｇと比べると、監視の精度に与える影響を最小限に留めることができる。ただし、基本画面２１０が表示画面の左半分に寄せ集められるというレイアウト変更が伴うこととなる。これに対して、本実施の形態では、個人画面２６０を表示しないので、レイアウト変更を全く伴うことなく、図７に示すような監視の中断の状態に入ることとなる。つまり、一患者の監視に関する設定を変更する場合に、他の患者の監視精度に与える影響が全くない。さらに、上述の個人画面２６０経由の場合は、４ステップの操作を経て監視の設定変更を完結するが、本実施の形態では３ステップのタッチ操作により、監視の設定変更を完結できるため、操作の手間を軽減できる。
【００５４】
さらに、本実施の形態では、ショートカットメニュー起動ボタン２２３ｂ’は患者情報表示部２２３ｂ内に配置される一方で、個人画面起動ボタン２２１ｂ’は計測値表示部２２１ｂ内に配置されている。つまり、ショートカットメニュー起動ボタン２２３ｂ’と個人画面起動ボタン２２１ｂ’が離れて配置されている。これにより、ユーザがこれらのボタンを間違えて操作する可能性が低くなる。また、個人画面起動ボタン２２１ｂ’は、ショートカットメニュー起動ボタン２２３ｂ’と同様、透明であることが好ましい。
【００５５】
（変形例）
ところで、表示部２００の画面サイズは通常、十数インチ〜二十数インチ程度であるが、近年のテレビ受像機の大画面化と同様、セントラルモニタ１の表示部２００についても今後、大画面化が予想される。表示部２００が大画面化すると、基本画面２１０や各表示区域２２０ａ〜２２０ｈのサイズが大きくなる。よって、一患者についてのより多くの情報や表示物、例えば上記の個人画面２６０や個人メニュー画面２７０を、波形や計測値とともに、それぞれの視認性を低下させることなく、その一患者に対応する表示区域内に表示させることが可能となる。つまり、この場合は、個人画面経由で行う設定変更処理の起動から完結までをその表示区域内で行うことができる。
【００５６】
大型の表示部２００において、個人画面を経由して行う設定変更処理の起動から完結までを表示区域内で行うことができない場合、表示部２００が大型であるが故に操作の動線が長くなりやすく、操作に手間がかかる。これに対して、この変形例では、大型の表示部２００において、視認性を低下させることなく、操作の動線が長くなることを抑制し、操作の手間を軽減できるため、ユーザの利便性を向上させることができる。
【００５７】
以上、本発明の実施の形態について説明したが、以上の説明は本発明の好適な実施の形態の例証であり、本発明の範囲はこれに限定されるものではない。よって、上記実施の形態は、種々変更して実施可能である。
【符号の説明】
【００５８】
１００  セントラルモニタ
２００  表示部
２１０  基本画面
２２０ａ、２２０ｂ、２２０ｃ、２２０ｄ、２２０ｅ、２２０ｆ、２２０ｇ、２２０ｈ  表示区域
２２１ｂ  計測値表示部
２２１ｂ’  個人画面起動ボタン
２２２ｂ  波形表示部
２２３ｂ  患者情報表示部
２２３ｂ’  ショートカットメニュー起動ボタン
２３０  ショートカットメニュー
２３１  入床ボタン
２３２、２７１  中断ボタン
２３３  退床ボタン
２３４  アラーム設定ボタン
２４０、２８０  設定変更確認ボタン
２４１、２８１  実行ボタン
２４２  キャンセルボタン
２５０  中断区域
２５１  再開ボタン
２６０  個人画面
２６１  メニューボタン
２７０  個人メニュー画面
【図１Ａ】
2014176498.tif 000003
【図１Ｂ】
2014176498.tif 000004
【図１Ｃ】
2014176498.tif 000005
【図２】
2014176498.tif 000006
【図３】
2014176498.tif 000007
【図４】
2014176498.tif 000008
【図５】
2014176498.tif 000009
【図６】
2014176498.tif 000010
【図７】
2014176498.tif 000011
【図８】
2014176498.tif 000012
【図９】
2014176498.tif 000013
【図１０】
2014176498.tif 000014
【図１１】
2014176498.tif 000015